(57)【要約】【課題】ユーザの負担を抑えつつ、顧客に対して特定の期間内における再来店への動機付けを行うことを可能とするポイントくじ抽選装置を提供する。【解決手段】ポイントくじ発券手段１１は、入力されたカードの保持するカード情報に基づいて予め定められた抽選期間を有するくじを予め定められた発券期間内に発券する。この時、先行して発券されるくじの抽選期間が当該くじの後に発券されるくじの発券期間に重なるように設定される。ポイントくじ抽選手段１２は、くじについての抽選を行う。景品引換券発券手段１３は、発券されたくじが抽選期間内に入力された場合、くじ抽選手段１２の行なった当該くじについての抽選結果に従って、景品引換券を発券する。【選択図】図１
2007011941.tif 000002
【特許請求の範囲】
【請求項１】
入力されたカードの保持するカード情報に基づいて、予め定められた抽選期間を有するくじを、予め定められた発券期間内に発券するくじ発券手段と、
前記くじについての抽選を行うくじ抽選手段と、
前記発券されたくじが前記抽選期間内に入力された場合、前記くじ抽選手段の行なった当該くじについての抽選結果に従って、景品引換券を発券する景品引換券発券手段とを備える
ことを特徴とするくじ抽選装置。
【請求項２】
前記くじ発券手段は、前記発券期間内に発券するくじの前記抽選期間を、前記発券期間の経過後の期間となるように設定する
ことを特徴とする請求項１に記載のくじ抽選装置。
【請求項３】
前記くじ発券手段は、相互に発券期間の異なる複数の種類のくじを発券し、先行して発券されるくじの抽選期間を当該くじの後に発券されるくじの発券期間に重なるように設定する
ことを特徴とする請求項２に記載のくじ抽選装置。
【請求項４】
前記くじ発券手段は、当該用紙の表面に印刷された前記抽選期間と、目視では解読不能なように暗号化され、当該用紙の表面に印刷され、前記印刷された抽選期間を含むくじ情報とを備えるくじを発券し、
前記景品引換券発券手段は、前記発券されたくじが入力された場合、前記暗号化されたくじ情報を解読することにより、前記発券されたくじが前記抽選期間内に入力されたか否かを決定する
ことを特徴とする請求項３に記載のくじ抽選装置。
【請求項５】
前記くじ発券手段は、前記暗号化されたくじ情報がくじ毎に一意に定まる識別番号とを含むくじを発券し、
前記景品引換券発券手段は、前記暗号化されたくじ情報を解読することにより前記識別番号を抽出し、前記識別番号と共に前記くじ抽選手段に当該くじについての抽選結果の通知を依頼し、
前記くじ抽選手段は、前記識別番号を用いて抽選を行なう
ことを特徴とする請求項４に記載のくじ抽選装置。
【請求項６】
当該くじ抽選装置が、更に、
前記くじの発券履歴を記憶するくじ発券履歴記憶手段を備え、
前記くじの発券履歴は、少なくとも、発券されたくじの識別番号とくじの発券年月日と前記くじ抽選手段によるくじの抽選結果とを含み、
前記くじ抽選手段は、前記くじの発券履歴に基づいて前記くじの抽選を行う
ことを特徴とする請求項２に記載のくじ抽選装置。
【発明の詳細な説明】
【技術分野】
【０００１】
本発明は、くじ抽選装置に関し、特に、カードのカード情報に基づいてくじを発券し、予め定めた抽選期間におけるくじの抽選を行うくじ抽選装置に関する。
【背景技術】
【０００２】
商店街などの事業者が、会員カード等の各種のカードを発行して顧客を囲い込み、更に、カードの会員である顧客の来店に応じてポイントを与え、貯まったポイントに応じて景品を提供する等のサービスを行うことが行われている。
【０００３】
例えば、商品等の購入額に基づいて発生するポイントを利用者が蓄積し、株式、債権、投資信託や、株式を購入する権利等の金融商品と交換するポイントシステムが提案されている（特許文献１参照）。
【特許文献１】特開２００２−１６９９６３号公報
【発明の開示】
【発明が解決しようとする課題】
【０００４】
一般に、商店街等において前述のようなサービスを提供するコンピュータシステムを実現しようとする場合、ＰＯＳシステムなどの大規模システムが必要とされることが多い。また、大規模システム上で動作する前述のようなサービスを提供するプログラムを開発し、当該ＰＯＳシステムにインストールする必要がある。この場合、大規模システムの導入やプログラムの開発等、ユーザの負担が極めて大きい。
【０００５】
また、前述のようなサービスを提供するコンピュータシステムを導入した場合であっても、実際には、ある特定の期間内に来店すれば景品の提供等のサービスを受けられることを、顧客に対してアピールすることができにくい。このため、顧客の再来店につなげることは困難であった。
【０００６】
本発明は、顧客に対して特定の期間内における再来店への動機付けを行うことを可能とするくじ抽選装置を提供することを目的とする。
【課題を解決するための手段】
【０００７】
本発明のくじ抽選装置は、入力されたカードの保持するカード情報に基づいて予め定められた抽選期間を有するくじを予め定められた発券期間内に発券するくじ発券手段と、くじについての抽選を行うくじ抽選手段と、発券されたくじが抽選期間内に入力された場合、くじ抽選手段の行なった当該くじについての抽選結果に従って、景品引換券を発券する景品引換券発券手段とを備える。
【０００８】
また、好ましくは、本発明のくじ抽選装置において、くじ発券手段は、発券期間内に発券するくじの抽選期間を、発券期間の経過後の期間となるように設定する。
【０００９】
また、好ましくは、本発明のくじ抽選装置において、くじ発券手段は、相互に発券期間の異なる複数の種類のくじを発券し、先行して発券されるくじの抽選期間を当該くじの後に発券されるくじの発券期間に重なるように設定する。
【００１０】
また、好ましくは、本発明のくじ抽選装置において、くじ発券手段は、当該用紙の表面に印刷された抽選期間と、目視では解読不能なように暗号化され、当該用紙の表面に印刷され、印刷された抽選期間を含むくじ情報とを備えるくじを発券する。景品引換券発券手段は、発券されたくじが入力された場合、暗号化されたくじ情報を解読することにより、発券されたくじが抽選期間内に入力されたか否かを決定する。
【００１１】
また、好ましくは、本発明のくじ抽選装置において、くじ発券手段は、暗号化されたくじ情報がくじ毎に一意に定まる識別番号とを含むくじを発券する。景品引換券発券手段は、暗号化されたくじ情報を解読することにより識別番号を抽出し、識別番号と共にくじ抽選手段に当該くじについての抽選結果の通知を依頼する。くじ抽選手段は、識別番号を用いて抽選を行なう。
【００１２】
また、好ましくは、本発明のくじ抽選装置が、更に、くじの発券履歴を記憶するくじ発券履歴記憶手段を備える。くじの発券履歴は、少なくとも、発券されたくじの識別番号とくじの発券年月日とくじ抽選手段によるくじの抽選結果とを含む。くじ抽選手段は、くじの発券履歴に基づいてくじの抽選を行う。
【発明の効果】
【００１３】
本発明のくじ抽選装置によれば、予め定められた抽選期間を有するくじを予め定められた発券期間内に発券し、発券されたくじが抽選期間内に入力された場合に限って、抽選結果に従って景品引換券を発見する。従って、くじは特定の抽選期間中にしか使用できないので、くじの発券を受けた顧客が、当該抽選期間内に、再度当該店舗に来店しようとすることを期待することができる。これにより、発券されたくじを持っている顧客に対して、特定の抽選期間内における再来店への動機付けをすることができる。また、本発明のくじ抽選装置は、くじの発券、くじの抽選、景品引換券の発券までの全ての処理を行う。従って、例えばスタンドアロン型のコンピュータシステムとして構成することができ、既存のＰＯＳシステムを用意して改良する必要がないので、開発時のユーザの負担を最小限に抑えることができる。
【００１４】
また、発券期間内に発券するくじの抽選期間を、発券期間の経過後の期間となるように設定することにより、顧客を発券期間とは異なる期間に来店するように誘導することができる。更に、先行して発券されるくじの抽選期間を当該くじの後に発券されるくじの発券期間に重なるように設定することにより、あるくじを所持している顧客を他のくじの発券期間に来店するように誘導することができる。
【００１５】
また、くじが印刷された抽選期間と目視では解読不能なように暗号化され印刷された抽選期間を含むくじ情報とを備えるので、顧客を印刷された抽選期間に来店するように誘導し、くじ情報により顧客が抽選期間に来店したか否かを決定することができる。更に、暗号化されたくじ情報が識別番号を含むので、これを用いて平等で公正な抽選を行なうことができる。
【００１６】
また、くじの発券履歴を記憶して、これに基づいてくじの抽選を行うので、くじの抽選における例えば当選率等を正確に管理することができる。
【発明を実施するための最良の形態】
【００１７】
図１は、くじ抽選装置構成図であり、本発明のくじ抽選装置（ポイントくじ抽選装置）の構成の一例を示す図である。
【００１８】
くじ抽選装置（ポイントくじ抽選装置）１は、ポイントくじ発券手段１１、ポイントくじ抽選手段１２、景品引換券発券手段１３、キャンペーンマスタ（ファイル）１４、ポイントくじ発券履歴記憶手段１５、当選マスタ（ファイル）１６を備える。なお、この例において、「くじ」が商店街の発行する会員カードのようなポイントを持つカードの入力に応じて発行されるので、当該くじを「ポイントくじ」と言うこととし、これに応じて、例えば、くじ抽選装置１はポイントくじ抽選装置１と言い、くじ発券手段１１等もポイントくじ発券手段１１と言うこととする。
【００１９】
例えば、来店したカード１００の会員である顧客が、図２（Ａ）に示すように、カード１００をポイントくじ抽選装置１に挿入する。これに応じて、ポイントくじ抽選装置１は、ポイントくじ１０１を発券する。ポイントくじ１０１は、例えば１日につき１枚発券される。発券されたポイントくじ１０１は、発券された日には使用できず、予め定められた抽選期間中にのみ使用できる。そこで、抽選期間に来店した顧客が、図２（Ｂ）に示すように、カード１００とポイントくじ１０１をポイントくじ抽選装置１に挿入する。これに応じて、ポイントくじ抽選装置１は、ポイントくじ１０１の抽選結果を確認し、抽選結果が当たりの場合、景品引換券１０２を発券する。顧客は、図２（Ｃ）に示すように、発券された景品引換券１０２を景品と引き換える。
【００２０】
図３は、カード１００のカード情報の一例を示す図である。カード１００は、例えば磁気カード又はＩＣカード等からなり、所定の入会手続きをした会員に対して発行される。カード情報は、周知のように、カード１００に磁気的又は電気的な信号として書き込まれ、磁気的又は電気的に読み出される。この例では、カード情報は、例えば、事業者コードと、会員ＩＤとからなる。事業者コードは、ポイントくじ１０１の発券者（事業者）を一意に識別するコードである。会員ＩＤは、カード１００の会員である顧客を一意に識別する識別子である。
【００２１】
ポイントくじ発券手段１１は、顧客によりポイントくじ抽選装置１に入力（挿入）されたカード１００の保持するカード情報に基づいて、ポイントくじ１０１を発券する。即ち、ポイントくじ発券手段１１は、カード１００がポイントくじ抽選装置１に入力されると、当該カード１００の保持するカード情報を読み取って、会員チェック処理（後述する）を行い、当該チェックの結果が正当（ＯＫ）であれば、これに基づいて、ポイントくじ１０１を発券することの可否を決定する。
【００２２】
ポイントくじ１０１を発券する場合、ポイントくじ発券手段１１は、キャンペーンマスタ１４及びポイントくじ発券履歴記憶手段１５を参照する。これにより、ポイントくじ発券手段１１は、カード１００のカード情報とキャンペーンマスタ１４に記憶された情報と、ポイントくじ発券履歴記憶手段１５内に記憶されたポイントくじ発券履歴とに基づいて、ポイントくじ１０１（の発券情報）を作成して、発券する（印刷出力する）。
【００２３】
図４（Ａ）は、ポイントくじ１０１の一例を示す図である。図４（Ａ）に示すポイントくじ１０１の表面には、「○○商店街」という事業者名と、「２００５年４月」というポイントくじ１０１の抽選期間と、ポイントくじ情報とが印刷されている。これらの情報は、ポイントくじ発券手段１１により生成され印刷される。これらの情報は、当該用紙の表面に貼付されるようにしても良く、また、当該用紙の表面及び裏面に印刷又は貼付されるようにしても良い。
【００２４】
この例では、ポイントくじ情報はＱＲコードからなる。ポイントくじ情報は、例えば二次元バーコード、バーコード等からなっていても良い。即ち、ポイントくじ情報は、目視では解読不能なように暗号化（又は、記号化）される。
【００２５】
図４（Ｂ）は、図４（Ａ）に示すポイントくじ１０１に印刷されたポイントくじ情報の一例を示す図である。ポイントくじ情報は、例えば、事業者コード、キャンペーンコード、発券年月日、抽選期間、券番号（識別番号とも言う）からなる。キャンペーンコードは、事業者が行う販売促進等のキャンペーンを一意に識別するコードである。発券年月日は、当該ポイントくじ１０１の発券された年月日を示す。抽選期間は、当該ポイントくじ１０１の抽選年月（期間）を示す。券番号は、当該ポイントくじ１０１を一意に識別するユニークな番号であり、例えば、事業者、発券年、キャンペーンコード毎に付与される。
【００２６】
このように、ポイントくじ情報は、暗号化された抽選期間を含む。即ち、ポイントくじ情報は、少なくとも、印刷された抽選期間と同一の抽選期間と、ポイントくじ１０１毎に一意に定まる識別番号（以下、券番号とも言う）とを含む。従って、ポイントくじ１０１は、当該用紙の表面に印刷された抽選期間と、これと同一であるが暗号化された抽選期間とを備える。
【００２７】
図５は、キャンペーンマスタの一例を示す図である。キャンペーンマスタ１４は、例えば、キャンペーン毎に、キャンペーンコード、キャンペーン期間、抽選期間、複数枚数発券可否からなる。これらの情報は、例えば当該事業者により予め設定される。図５に示すように、ポイントくじ１０１は、相互にキャンペーン期間、即ち発券期間の異なる複数の種類が発券される。
【００２８】
キャンペーン期間は、当該キャンペーンが行われる期間を示す。抽選期間は、当該キャンペーン期間中に発券されたポイントくじ１０１の抽選期間を示す。複数枚数発券可否は、当該キャンペーン期間中に同一の顧客（同一の会員ＩＤ）に対して当該キャンペーンについてのポイントくじ１０１を複数枚発券できるか否かを示す。複数枚数発券可否が「可」である場合、同一の顧客に対してポイントくじ１０１を複数枚発券でき、「否」である場合、同一の顧客に対してポイントくじ１０１を複数枚発券できない。
【００２９】
ポイントくじ発券履歴記憶手段１５は、ポイントくじ１０１の発券履歴を記憶する。ポイントくじ１０１の発券履歴は、少なくとも、発券されたポイントくじ１０１の識別番号と、ポイントくじ１０１の発券年月日と、ポイントくじ抽選手段１２によるポイントくじ１０１の抽選結果とを含む。
【００３０】
図６は、ポイントくじ発券履歴のデータ構成の一例を示す図である。ポイントくじ発券履歴記憶手段１５内のポイントくじ発券履歴は、発券された全てのポイントくじ１０１について記録され、ポイントくじ１０１（即ち、券番号）毎に、例えばキャンペーンコード、会員ＩＤ、券番号、発券年月日、当たりランク、賞品名、抽選フラグからなる。これらの情報は、ポイントくじ１０１の発券の都度及び抽選の都度に、ポイントくじ発券手段１１により生成され格納される。
【００３１】
当たりランクは、ポイントくじ１０１の当たりの等級を示し、賞品名は、ポイントくじ１０１が当たった場合に発券される景品引換券１０２の名称を示す。抽選フラグは、ポイントくじ１０１の抽選が行われたか未抽選かを示す。抽選が行われた場合は抽選フラグに「済（又は１）」が設定され、未抽選の場合は抽選フラグに「未（又は０）」が設定される。
【００３２】
会員チェック処理の結果がＯＫである（ポイントくじ１０１を発券する）場合、その後、ポイントくじ発券手段１１は、キャンペーンマスタ１４を参照し、後述するように、キャンペーン期間のチェック処理を行い、複数枚数発券可否のチェック処理を行なう。これにより、ポイントくじ発券手段１１は、実際にポイントくじ１０１を発券するか否かを決定する。即ち、「実際に決定」とは、会員チェック処理の結果がＯＫであれば無条件に発券するのではなく、これに加えて、カード１００を入力した日がキャンペーン期間中である場合に発券し、かつ、当該発券が当該会員ＩＤにつき（そのキャンペーン期間中の）１枚目のポイントくじ１０１であるか又は複数枚数発券が「可」である場合に発券することを意味する。従って、キャンペーンマスタ１４のキャンペーン期間によりポイントくじ１０１の発券期間を定める。また、ポイントくじ１０１の発券は２段階に判断される。
【００３３】
なお、当該会員ＩＤにつき１枚目のポイントくじ１０１の発券であるかを判断するために、ポイントくじ発券手段１１は、図６に示すポイントくじ発券履歴記憶手段１５を参照する。即ち、複数枚数発券可否に「否」が設定されている場合、ポイントくじ発券手段１１は、ポイントくじ発券履歴記憶手段１５を参照する。ポイントくじ発券履歴記憶手段１５に当該会員ＩＤ（その時点で入力されているカード１００の会員ＩＤ）が登録されている場合、既に当該顧客（会員ＩＤ）に対してポイントくじ１０１が発券されている。従って、ポイントくじ発券手段１１は、当該顧客（会員ＩＤ）にポイントくじ１０１を発券しないようにする。
【００３４】
また、この例において、複数枚数発券可否に「可」が設定されている場合でも、ポイントくじ発券手段１１は、同一日には同一の顧客（同一の会員ＩＤ）に対してポイントくじ１０１を複数枚発券しないようにする。
【００３５】
実際にポイントくじ１０１を発券する場合、ポイントくじ発券手段１１は、キャンペーンマスタ１４を参照し、キャンペーンコード、抽選期間を取得する。この抽選期間は、当該抽選期間を印刷するため、及び、ポイントくじ情報を生成するために用いられる。また、ポイントくじ発券手段１１は、入力されたカード１００から事業者コードを取得し、当日の日付を用いて発券年月日を生成し、発券に応じてインクリメントされるカウンタ（図示せず）を用いて券番号を生成する。発券年月日はカード１００が入力された日（当日）である。ポイントくじ発券手段１１は、周知のように、これらの情報（２進数からなる）を図４（Ｂ）に示す順に並べた後に暗号化して、ＱＲコードからなるポイントくじ情報を生成する。
【００３６】
そして、ポイントくじ発券手段１１は、抽選期間やポイントくじ情報等を当該用紙に印刷出力する。この時、図４（Ａ）に示す「○○商店街」や「ポイントくじ」の文字（絵柄も含む）等は、共通（不変）のものであるので、予め印刷データとしてポイントくじ発券手段１１に保持される。
【００３７】
以上のように、ポイントくじ発券手段１１は、キャンペーンマスタ１４の設定に従って、予め定められた抽選期間を有するポイントくじ１０１を、予め定められた発券期間内に発券する。抽選期間と発券期間との関係はキャンペーンマスタ１４の設定により定まる。即ち、発券するポイントくじ１０１の抽選期間は、発券期間の経過後の期間となるように設定される。先行して発券されるポイントくじ１０１の抽選期間は、当該ポイントくじ１０１の後に発券されるポイントくじ１０１の発券期間に重なるように設定される。
【００３８】
例えば、あるキャンペーン期間中に発券されたポイントくじ１０１はそのキャンペーン期間中は使用（抽選）できず、次のキャンペーン期間中に使用（抽選）できるようにされる。例えば、図５に示すように、キャンペーンコード「００１」のポイントくじ１０１は、そのキャンペーン期間である２００５年２月に発券され、その抽選期間は、２００５年４月に設定される。この期間は、キャンペーンコード「００２」のポイントくじ１０１のキャンペーン期間（２００５年４月、５月）に含まれる期間である。
【００３９】
ポイントくじ１０１の発券後、ポイントくじ発券手段１１は、ポイントくじ発券履歴記憶手段１５にポイントくじ発券履歴を登録する。即ち、ポイントくじ発券手段１１は、当該ポイントくじ１０１の発券のために取得したキャンペーンコード、会員ＩＤ、券番号、発券年月日を、当該ポイントくじ１０１のポイントくじ発券履歴として登録する。この時点で、当たりランク及び賞品名は「空」とされ、抽選フラグは「未」とされる。
【００４０】
ポイントくじ抽選手段１２は、当選マスタ１６内に記憶された情報とポイントくじ発券履歴記憶手段１５内に記憶されたポイントくじ発券履歴とに基づいて、各ポイントくじ１０１の抽選を行い、抽選結果をポイントくじ発券履歴中に設定する。この時、くじの発券履歴に基づいて、ポイントくじ１０１の識別番号（券番号）を用いて、ポイントくじ１０１についての抽選が行なわれる。
【００４１】
図７は、当選マスタのデータ構成の一例を示す図である。当選マスタ１６は、キャンペーンコード、当たりランク、賞品名、当たり予定本数、当たり結果本数からなる。これらの情報は、例えば事業者によって、当該キャンペーン期間（当該ポイントくじ１０１の発券期間）の終了後であって抽選期間の開始前に、キャンペーン（キャンペーンコード）毎に設定される。当たり予定本数は、予め定められた当たりの本数を示し、当たり結果本数は、抽選の結果、当たったポイントくじ１０１の本数を示している。
【００４２】
景品引換券１０２の発券に先立って、景品引換券発券手段１３は、発券されたポイントくじ１０１が入力された場合、暗号化されたポイントくじ情報を解読する。即ち、景品引換券発券手段１３は、周知のように、当該ポイントくじ１０１から読み取ったＱＲコードを解読し、当該解読結果であるデータ列において所定の位置に存在する抽選期間と識別番号（券番号）とを抽出する。これにより、景品引換券発券手段１３は、発券されたポイントくじ１０１が抽選期間内に入力されたか否かを決定（判断）する。
【００４３】
景品引換券発券手段１３は、ポイントくじ１０１が抽選期間内に入力された場合、当該券番号と共に、ポイントくじ抽選手段１２に当該ポイントくじ１０１についての抽選結果の通知を依頼する。実際には、景品引換券発券手段１３は、当該券番号を用いてポイントくじ発券履歴記憶手段１５を参照し、当該券番号のポイントくじ発券履歴を読み出して、前記依頼と共に、ポイントくじ抽選手段１２に送る。
【００４４】
この依頼に応じて、ポイントくじ抽選手段１２は、当該券番号を用いて抽選を行い、その抽選結果を景品引換券発券手段１３に通知する。従って、この例では、抽選は前記依頼の都度に行なう。抽選結果は、例えば、当たり又ははずれと当たりランク（賞品名を含む）とからなる。抽選は、乱数を用いる等の種々の方法によって行えば良く、また、予め抽選を行なって当選番号（当選した券番号）を決定しても良い。実際には、ポイントくじ抽選手段１２は、ポイントくじ発券履歴記憶手段１５を更新して、これを景品引換券発券手段１３に通知する。即ち、当該券番号のポイントくじ発券履歴において、当該抽選結果である当たりランク及び賞品名を書き込み、抽選フラグを「済」とする。
【００４５】
前記通知を受けると、景品引換券発券手段１３は、当該券番号のポイントくじ発券履歴を参照して、前記抽選結果に従って、景品引換券１０２を発券する。換言すれば、景品引換券発券手段１３は、ポイントくじ抽選装置１に挿入されたカード１００のカード情報と、ポイントくじ１０１のＱＲコードから読み取ったポイントくじ情報と、ポイントくじ発券履歴記憶手段１５内のポイントくじ発券履歴とに基づいて、ポイントくじ１０１が抽選期間内に入力された場合、景品引換券１０２を発券する。
【００４６】
景品引換券１０２は、実際には、抽選結果に従って、当たりである場合にのみ発券され、当たりでない場合には発券されない。景品引換券１０２は、その当たりランクに応じたものとされる。景品引換券発券手段１３は、通知された抽選結果に基づいて、景品引換券１０２に、図８に示すように、例えば当たりランク「２等」と賞品名「ＤＶＤ引換券」を印刷する。景品引換券１０２の発券を受けた顧客は、景品引換券１０２と引き換えに景品を受け取ることが可能となる。
【００４７】
なお、本発明のポイントくじ抽選装置１は、当該装置のＣＰＵ上で実行されるプログラムとして実現される。当該プログラムは、コンピュータが読み取り可能な媒体、例えば半導体メモリ、ハードディスク、ＣＤ−ＲＯＭ、ＤＶＤ等の適当な記録媒体に格納することができ、これらの記録媒体に記録して提供され、又は、通信インタフェースを介してネットワークを利用した送受信により提供される。
【００４８】
図９は、ポイントくじ発券処理説明図であり、ポイントくじ発券手段１１が実行するポイントくじ発券処理フローの一例を示す。
【００４９】
ポイントくじ発券手段１１は、入力されたカード１００のカード情報を読み込んで、事業者コード及び会員ＩＤを取得する（ステップＳ１）。次に、ポイントくじ発券手段１１は、取得した事業者コード及び会員ＩＤに基づいて、会員チェックを行う（ステップＳ２）。
【００５０】
即ち、ポイントくじ発券手段１１は、会員チェック処理として、読み取った事業者コードが正しく、かつ、読み取った会員ＩＤが正しいか否かを調べ、その結果に基づいて、両者が正しい（ＯＫである）場合、ポイントくじ１０１を発券する。事業者コードは、読み取った事業者コードが当該ポイントくじ抽選装置１を設置した事業者のものである場合、正しいものと判断される。会員ＩＤは、読み取った会員ＩＤが当該ポイントくじ抽選装置１（の会員マスタ）に登録された会員のものである場合、正しいものと判断される。このために、ポイントくじ抽選装置１は、図示しないが、入会手続きにより得られた会員ＩＤを含む会員の種々の情報を予め登録した会員マスタ（ファイル）を備える。
【００５１】
ポイントくじ発券手段１１は、会員チェックがＮＧである（ＯＫでない）場合、エラー通知を行って（ステップＳ７）、処理を終了する。会員チェックがＯＫである場合、ポイントくじ発券手段１１は、キャンペーンマスタ１４からキャンペーン情報を取得し（ステップＳ３）、当日がキャンペーン期間かをチェックする（ステップＳ４）。
【００５２】
例えば、当日が２００５年４月１０日の場合、ポイントくじ発券手段１１は、図５に示すキャンペーンマスタ１４を参照して、当日がキャンペーンコード「００２」のキャンペーン期間であると判断する。
【００５３】
ポイントくじ発券手段１１は、当日がキャンペーン期間でない場合、エラー通知を行って（ステップＳ７）、処理を終了する。ポイントくじ発券手段１１は、当日がキャンペーン期間である場合、ポイントくじ発券履歴に基づいて、ポイントくじ１０１が発券可能かをチェックする（ステップＳ５）。
【００５４】
例えば、ポイントくじ発券手段１１は、キャンペーンマスタ１４において、キャンペーンコード「００２」のキャンペーン期間に対応する複数枚数発券可否に「可」が設定されていることを確認し、ポイントくじ１０１を複数枚数発券することができると判断する。そして、ポイントくじ発券手段１１は、例えば、図６に示すポイントくじ発券履歴中の会員ＩＤと発券年月日を参照して、ポイントくじ１０１を発券できるかを判断する。即ち、ポイントくじ発券手段１１は、ステップＳ１で取得した会員ＩＤがポイントくじ発券履歴中に設定されていない場合、又は、取得した会員ＩＤがポイントくじ発券履歴中に設定されているが、設定されている発券年月日が当日と異なっている場合、ポイントくじ１０１を発券できると判断する。ポイントくじ発券手段１１は、ポイントくじ発券履歴中に、取得した会員ＩＤが設定され、かつ、設定されている発券年月日が当日である場合、ポイントくじ１０１を発券できないと判断する。
【００５５】
なお、ポイントくじ発券手段１１は、例えば、図５に示すキャンペーンマスタ１４を参照して、複数枚数発券可否に「否」が設定されている場合、取得した会員ＩＤがポイントくじ発券履歴中に既に設定されているか否かに基づいて、ポイントくじ１０１を発券できるかを判断する。即ち、取得した会員ＩＤが既にポイントくじ発券履歴中に設定されている場合、ポイントくじ１０１は発券されず、ポイントくじ１０１の二重発券を回避することができる。
【００５６】
ポイントくじ発券手段１１は、顧客に対してポイントくじ１０１を発券できないと判断した場合、エラー通知を行い（ステップＳ８）、処理を終了する。顧客に対してポイントくじ１０１を発券できると判断した場合、ポイントくじ発券手段１１は、前述のように、ポイントくじ情報を生成してポイントくじ１０１を発券し、ポイントくじ発券履歴記憶手段１５にポイントくじ発券履歴を追加する（ステップＳ６）。
【００５７】
図１０は、ポイントくじ抽選処理説明図であり、ポイントくじ抽選手段１２が実行するポイントくじ抽選処理フローの一例を示す。図１０は、例えばキャンペーンコード「００１」のキャンペーン期間中に発券されたポイントくじ１０１の対応する抽選期間についてのポイントくじ抽選処理を示す。
【００５８】
ポイントくじ抽選手段１２は、事業者の入力に従って、当選マスタ１６に、キャンペーンコード、当たりランク、賞品名、当たり予定本数を登録する（ステップＳ１１）。例えば、ポイントくじ抽選手段１２は、当選マスタ１６に示すように、キャンペーンコード「００１」の１等から４等までのそれぞれの当たりランクについて、賞品名と当たり予定本数を登録する。
【００５９】
次に、ポイントくじ抽選手段１２は、ポイントくじ発券履歴における「当たりランク」と「賞品名」の更新数を「０」とした後（ステップＳ１２）、乱数で券番号を取得する（ステップＳ１３）。このために、ポイントくじ抽選手段１２は、乱数発生器（図示せず）を備える。
【００６０】
ポイントくじ抽選手段１２は、ポイントくじ発券履歴をチェックし、当該ポイントくじ発券履歴中に、取得した券番号が未抽選でかつ当たりなしの状態で設定されているか否かを調べる（ステップＳ１４）。設定されていない場合、ポイントくじ抽選手段１２は、ステップＳ１３以下の処理を繰り返す。
【００６１】
ポイントくじ抽選手段１２は、取得した券番号が未抽選でかつ当たりなしの状態で設定されている場合、ポイントくじ発券履歴に「当たりランク」と「賞品名」を更新する（ステップＳ１５）。
【００６２】
即ち、ポイントくじ抽選手段１２は、ポイントくじ発券履歴において、取得した券番号に対応する抽選フラグに「未」が設定され、かつ、当たりランクと賞品名にデータが設定されていない場合、ポイントくじ発券履歴に当たりランクと賞品名を設定する。例えば、ステップＳ１３で取得した券番号が「０００２０」である場合、ポイントくじ抽選手段１２は、例えば図６のポイントくじ発券履歴において、券番号「０００２０」に対応する当たりランクに「２等」、賞品名に「ＤＶＤ引換券」を設定する。
【００６３】
次に、ポイントくじ抽選手段１２は、当選マスタをチェックする（ステップＳ１６）。即ち、当選マスタ１６の当たり予定本数がステップＳ１５における「当たりランク」と「賞品名」の更新数に等しくない場合、ポイントくじ抽選手段１２は、ステップＳ１３以下の処理を繰り返す。当たり予定本数がステップＳ１５における「当たりランク」と「賞品名」の更新数に等しい場合、ポイントくじ抽選手段１２は、全ての当たりランクの当たり予定本数分の「当たりランク」と「賞品名」がポイントくじ発券履歴中に設定されたかを判断する（ステップＳ１７）。
【００６４】
ポイントくじ抽選手段１２は、予定本数分の「当たりランク」と「賞品名」がポイントくじ発券履歴に設定されていない当たりランクがある場合、ステップＳ１２以下の処理を繰り返す。全ての当たりランクの当たり予定本数分の「当たりランク」と「賞品名」がポイントくじ発券履歴中に設定された場合、ポイントくじ抽選手段１２は、ポイントくじ発券履歴の当たり以外の全てに「はずれ」を設定して（ステップＳ１８）、処理を終了する。例えば、ポイントくじ抽選手段１２は、図６のポイントくじ発券履歴において、券番号「００１３８」に対応する「当たりランク」に「はずれ」を設定する。
【００６５】
図１１は、景品引換券発券処理説明図であり、景品引換券発券手段１３が実行する景品引換券発券処理フローの一例を示す図である。
【００６６】
景品引換券発券手段１３は、カード１００のカード情報を読み込んで、事業者コード及び会員ＩＤを取得する（ステップＳ２１）。次に、景品引換券発券手段１３は、取得した事業者コード及び会員ＩＤに基づいて、会員チェックを行う（ステップＳ２２）。景品引換券発券手段１３は、会員チェックがＮＧの場合はエラー通知を行い（ステップＳ２９）、処理を終了する。
【００６７】
会員チェックがＯＫの場合、景品引換券発券手段１３は、ポイントくじ１０１の券番号を読み込み（ステップＳ２３）、当日が抽選期間中であるか否かをチェックする（ステップＳ２４）。景品引換券発券手段１３は、当日が抽選期間中でない場合、エラー通知を行い（ステップＳ２９）、処理を終了し、一方、当日が抽選期間中である場合、ポイントくじ発券履歴を参照し、当該券番号についての抽選結果を確認する（ステップＳ２５）。
【００６８】
抽選結果が当たりである場合、景品引換券発券手段１３は、ポイントくじ発券履歴に設定された「当たりランク」と「賞品名」に基づいて、景品引換券１０２を発券する（ステップＳ２６）。例えば、景品引換券発券手段１３は、図６のポイントくじ発券履歴を参照して、券番号が「０００２０」のポイントくじ１０１に対応する「当たりランク」が「２等」で、「賞品名」が「ＤＶＤ引換券」であることを確認し、例えば図８に示すような景品引換券１０２を発券する。
【００６９】
この後、景品引換券発券手段１３は、当選マスタ１６における当たり結果本数を更新し（ステップＳ２７）、ポイントくじ発券履歴における抽選フラグを「済」に更新して（ステップＳ２８）、処理を終了する。一方、ステップＳ２５において、抽選結果がはずれである場合、景品引換券発券手段１３は、ステップＳ２６及びＳ２７を省略して、ステップＳ２８を実行する。
【産業上の利用可能性】
【００７０】
本発明によれば、くじ抽選装置において、くじを特定の抽選期間中にしか使用できないように設定し、抽選期間を発券期間の経過後の他のくじの発券期間に重なるように設定し、印刷することにより、顧客に発券期間とは異なる期間を印象付け、抽選期間かつ他のくじの発券期間に来店するように誘導することができる。一方、暗号化されたくじ情報に抽選期間を含むことにより、これとくじの発券履歴とにより、くじの抽選を行いくじを正確に管理することができる。また、本発明のくじ抽選装置は、例えばスタンドアロン型のコンピュータシステムにより構成することができ、開発時のユーザの負担を最小限に抑えることができる。以上のように、最小限のユーザの負担により、顧客を効率良く所望の期間に来店するように誘導することができる。
【図面の簡単な説明】
【００７１】
【図１】本発明のポイントくじ抽選装置の構成の一例を示す図である。
【図２】本発明の概念図の一例である。
【図３】カードのカード情報の一例を示す図である。
【図４】ポイントくじ又はポイントくじ情報の一例を示す図である。
【図５】キャンペーンマスタの一例を示す図である。
【図６】ポイントくじ発券履歴のデータ構成の一例を示す図である。
【図７】当選マスタのデータ構成の一例を示す図である。
【図８】景品引換券の一例を示す図である。
【図９】ポイントくじ発券処理フローの一例を示す図である。
【図１０】ポイントくじ抽選処理フローの一例を示す図である。
【図１１】景品引換券発券処理フローの一例を示す図である。
【符号の説明】
【００７２】
１  ポイントくじ抽選装置
１１  ポイントくじ発券手段
１２  ポイントくじ抽選手段
１３  景品引換券発券手段
１４  キャンペーンマスタ
１５  ポイントくじ発券履歴記憶手段
１６  当選マスタ
１００  カード
１０１  ポイントくじ
１０２  景品引換券
【図１】
2007011941.tif 000003
【図２】
2007011941.tif 000004
【図３】
2007011941.tif 000005
【図４】
2007011941.tif 000006
【図５】
2007011941.tif 000007
【図６】
2007011941.tif 000008
【図７】
2007011941.tif 000009
【図８】
2007011941.tif 000010
【図９】
2007011941.tif 000011
【図１０】
2007011941.tif 000012
【図１１】
2007011941.tif 000013